(57)【特許請求の範囲】
【請求項１】
前面に開口部を有する本体と、
前記開口部を開閉自在に覆う蓋体と、
前記蓋体の開閉状態を検知する検知部と、
運転内容を設定する操作部と運転状態を表示する表示部を有する操作表示部と、
前記操作表示部の設定により運転状態を制御する制御部とを備え、
前記蓋体は、前記本体の前面を覆う略矩形状に形成するとともに、前記操作表示部を前記蓋体の上面に配設し、
前記制御部は、前記検知部の出力に基づいて、前記蓋体の開放状態の際に、前記操作部の操作を受付不可とすることを特徴とするドラム式洗濯機。
【請求項２】
前記操作表示部は、電源入/切ボタンを有し、前記制御部は、前記蓋体の開放状態の際に、前記電源入／切ボタンの操作を受け付けることを特徴とする請求項１に記載のドラム式洗濯機。
【請求項３】
前記操作表示部は、スタート／一時停止ボタンを有し、前記制御部は、前記蓋体の開放状態の際に、スタート／一時停止ボタンの操作を受け付けることを特徴とする請求項１に記載のドラム式洗濯機。
【請求項４】
前記操作表示部の操作内容を報知する報知部を設け、前記制御部は、前記蓋体の開放状態で前記操作表示部の操作がなされた際に、受付不可の報知音を報知することを特徴とする請求項１〜３に記載のドラム式洗濯機。
【請求項５】
前記制御部は、前記蓋体の開放状態で前記操作表示部の操作がなされた際に、前記操作表示部に受付不可を表示することを特徴とする請求項１〜４に記載のドラム式洗濯機。
【発明の詳細な説明】
【技術分野】
【０００１】
本発明は、操作部を有するドラム式洗濯機に関するものである。
【背景技術】
【０００２】
従来、この種のドラム式洗濯機は、本体の前面に円形の開口部が設けられるとともに、開口部を開閉自在に覆う蓋体が設けられている。蓋体は、開口部の形状に合わせた円形形状に形成されている。
【先行技術文献】
【特許文献】
【０００３】
【特許文献１】特開２０１５−６２４４４号公報
【発明の概要】
【発明が解決しようとする課題】
【０００４】
しかしながら、蓋体が円形であり、蓋体表面が本体より突出して形成されているため、本体と蓋体とが同一フォルムに構成されず、洗濯機の前面がすっきりしたデザインに構成すること難しい問題がある。
【０００５】
そこで、蓋体を略矩形状に形成し、本体の前面全体を略矩形状の蓋体により覆う構成が考えられる。本体の前面全体を蓋体で覆う構成とする場合、動作条件を設定する操作部及び運転状態を表示する表示部を備える操作表示部は、操作性及び視認性を考慮して、洗濯機の前方位置である蓋体の上面に配設することが好ましい。
【０００６】
操作表示部を蓋体の上面に配設した場合、洗濯物の投入または洗濯物の取り出し時に、蓋体に手をかけて身体を支えるなどして、意図しない支え手の動作により洗濯機が誤操作する虞が生じる。
【０００７】
本発明は、前記従来の課題を解決するために、本発明のドラム式洗濯機は、デザイン性を高め、蓋体が開状態における意図しない動作による誤操作を防止し得るドラム式洗濯機を提供することを目的とする。
【課題を解決するための手段】
【０００８】
本発明のドラム式洗濯機は、前面に開口部を有する本体と、前記開口部を開閉自在に覆う蓋体と、前記蓋体の開閉状態を検知する検知部と、運転内容を設定する操作部と運転状態を表示する表示部を有する操作表示部と、前記操作表示部の設定により運転状態を制御する制御部とを備え、前記蓋体は、前記本体の前面を覆う略矩形状に形成するとともに、前記操作表示部を前記蓋体の上面に配設し、前記制御部は、前記検知部の出力に基づいて、前記蓋体の開放状態の際に、前記操作部の操作を受付不可とするものである。
【発明の効果】
【０００９】
本発明のドラム式洗濯機は、デザイン性を高め、蓋体の開放状態における意図しない誤操作を防止することができる。
【図面の簡単な説明】
【００１０】
【図１】本発明の実施の形態に係るドラム式洗濯機の全体斜視図
【図２】同ドラム式洗濯機の蓋体を開いた全体斜視図
【図３】同ドラム式洗濯機の縦断面図
【図４】同操作表示部の斜視図
【図５】従来のドラム式洗濯機の全体斜視図
【発明を実施するための形態】
【００１１】
第１の発明は、前面に開口部を有する本体と、前記開口部を開閉自在に覆う蓋体と、前記蓋体の開閉状態を検知する検知部と、運転内容を設定する操作部と運転状態を表示する表示部を有する操作表示部と、前記操作表示部の設定により運転状態を制御する制御部とを備え、前記蓋体は、前記本体の前面を覆う略矩形状に形成するとともに、前記操作表示部を前記蓋体の上面に配設し、前記制御部は、前記検知部の出力に基づいて、前記蓋体の開放状態の際に、前記操作部の操作を受付不可とするものである。
【００１２】
これにより、デザイン性を高め、蓋体が開状態における意図しない動作による誤操作を防止することができる。
【００１３】
第２の発明は、特に、第１の発明の操作表示部は、電源入/切ボタンを有し、前記制御部は、前記蓋体の開放状態の際に、前記電源入/切ボタンの操作を受け付けるものである。
【００１４】
これにより、蓋体が開状態における意図しない動作による誤操作を防止することができる。
【００１５】
第３の発明は、特に、第１の発明の操作表示部は、スタート/一時停止ボタンを有し、前記制御部は、前記蓋体の開放状態の際に、スタート/一時停止ボタンの操作を受け付けるものである。
【００１６】
これにより、蓋体が開状態における意図しない動作による誤操作を防止することができる。
【００１７】
第４の発明は、特に、第１〜第３の発明において、前記操作表示部の操作内容を報知する報知部を設け、前記制御部は、前記蓋体の開放状態で前記操作表示部の操作がなされた際に、受付不可の報知音を報知するものである。
【００１８】
これにより、蓋体が開状態における意図しない動作による誤操作を防止することができる。
【００１９】
第５の発明は、特に、第１〜第４の発明において、前記制御部は、前記蓋体の開放状態で前記操作表示部の操作がなされた際に、前記操作表示部に受付不可を表示するものである。
【００２０】
これにより、蓋体が開状態における意図しない動作による誤操作を防止することができる。
【００２１】
以下、本発明の実施の形態について、図面を参照しながら説明する。なお、この実施の形態によって本発明が限定されるものではない。
【００２２】
（実施の形態１）
図１は、本発明の実施の形態に係るドラム式洗濯機の全体斜視図、図２は、同ドラム式洗濯機の蓋体を開いた全体斜視図、図３は、同ドラム式洗濯機の縦断面図である。
【００２３】
図３において、ドラム式洗濯機の本体１内には、水槽２が図示しない緩衝手段により揺
動可能に支持されている。水槽２内には、有底円筒形に形成された回転ドラム３が軸心方向を正面側から背面側に向けて下向きに傾斜させて、回転自在に配設されている。水槽２の正面側には、回転ドラム３の開口端に通じる洗濯物出入口４が形成されている。本体１の前面を構成する前部枠体５の前部には、開口部６が形成され、蓋体９を開放することにより開口部６から洗濯物出入口４を通じて回転ドラム３内に洗濯物を出し入れすることができるよう構成されている。
【００２４】
回転ドラム３の周面には、水槽２内に通じる多数の透孔１０が形成され、水槽２の背面側に取り付けられたモータ１１によって回転ドラム３が正転及び逆転方向に回転駆動される。水槽２には、注水管路１２及び排水管路１３が配管接続され、注水弁１４および排水弁１５の制御によって水槽２内への注水及び排水がなされる。
【００２５】
本体１の上部には、洗剤投入ケース１７が配置されている。洗剤投入ケース１７は、本体１の側面側に配置することにより、水槽２を上方に配置することを可能にしている。使用者は運転に先立ち、本体１の天面に配置された洗剤投入ケース蓋１８を開放し、洗剤や柔軟剤を洗剤投入ケース１７に投入する。
【００２６】
本体１の前部枠体５は、略垂直な平面に形成され、前部枠体５に蓋体９が回動自在に支持される。蓋体９は、略矩形状に形成され、横幅寸法が本体１の横幅寸法と略同一に形成されている。蓋体９は、蓋体９を閉塞した状態で、蓋体９の上面が本体１の上面と略同一面となり、蓋体９の両側面が本体１の両側面と略同一面となるように構成している。蓋体９は、蓋体９の上部と下部に設けたヒンジ部２１により回動自在に支持されている。
【００２７】
本体１の前部枠体５には、蓋体９の下方位置に、水槽２からの排水をろ過する図示しない排水フィルターを覆う下部パネル４０が回動自在に支持されている。蓋体９と下部パネル４０の閉塞状態で、蓋体９の前面と下部パネル４０の前面が略同一面となるように構成している。下部パネル４０は、蓋体９と同様に、横幅寸法が本体１の横幅寸法と略同一寸法に形成し、下部パネル４０の両側面が本体１の両側面と略同一面となるように構成している。
【００２８】
蓋体９の上部には、操作表示部１６が配置されている。操作表示部１６は、運転内容を操作する操作部２２と運転状態等を表示する表示部２３を備えている。操作部２２には、電源入／切ボタン２４、スタート／一時停止ボタン２５、その他詳細運転内容の詳細設定ボタン（洗い、すすぎ、脱水、乾燥など）２６が設けられている。電源入／切ボタン２４とスタート／一時停止ボタン２５は、その他詳細運転設定ボタン２６と区別しやすくするため、操作表示部１６の表面から少許窪ませて配設している。また、電源入／切ボタン２４とスタート／一時停止ボタン２５は、蓋体９のヒンジ部２１から最も離間した位置であり、ヒンジ部２１が設けられた側面側と相対向する側面側に配設している。
【００２９】
使用者は、必要に応じて操作表示部１６の操作部２２を操作することにより希望する運転内容の設定、運転スタート、一時停止を行うことができる。また、使用者は、操作表示部１６の表示部２３により運転の設定状態や進行状態を確認することができる。操作表示部１６を蓋体９上部に配置することにより、本体１上部から操作表示部をなくすことができるので、水槽２を上方に配置することができ、回転ドラム３への洗濯物の出し入れ作業性を向上することができる。
【００３０】
略四角形状をした蓋体９を開いて、回転ドラム３内に洗濯物を投入し、操作表示部１６を操作して運転を開始させる。運転の開始により、注水弁１４が開き、洗剤投入ケース１７内に水が注水され、洗剤投入ケース１７中に投入されていた洗剤を流しながら、注水管路１２を介して水槽２内に所定量の注水がなされる。そして、モータ１１により回転ドラ
ム３が回転駆動して、洗濯行程が開始される。洗濯行程中の洗濯物は、回転ドラム３の回転により回転方向に持ち上げられ、落下する撹拌動作が繰り返され、洗濯がなされる。
【００３１】
所要の洗濯時間の後、排水弁１５が開き、汚れた洗濯液は排水管路１３から排出され、回転ドラム３を高速回転させる脱水動作により、洗濯物に含まれた洗濯液を脱水し、その後、水槽２内に注水管路１２から注水され、すすぎ行程が実施される。このすすぎ行程においても、洗濯物は回転ドラム３の回転により撹拌動作が繰り返され、すすぎ洗いが実施される。
【００３２】
図１に示すように、蓋体９は、略四角形状を成し、蓋体９の横幅寸法Ｗ１は、本体１の横幅寸法Ｗ２とほぼ等しい大きさに形成しており、蓋体９の閉塞状態で、蓋体９の両側面が本体１の両側面と略同一面となるように形成している。これにより、製品の上面をフラットな形状に形成でき、デザイン性を向上できる。
【００３３】
図３に示すように、蓋体９の閉塞時には、蓋体９に設けられた窓ガラス３３が、水槽２に取り付けられた窓パッキン３４と水封的に当接し、水槽２内の洗濯液が機外に漏れないようにしている。また、蓋体９の開放時から閉塞する時には、図２に示すように、蓋体９に設けられたラッチ３５が本体１に設けられた蓋ロック孔３６に係合し、運転中は電気的にロックし、蓋体９を開放できないようにしている。また、蓋体９のラッチ３５近傍に突起２７を形成し、蓋体９の閉塞状態で、突起２７が本体１の蓋ロック孔３６近傍に設けた検知部である検知スイッチ２８を操作し、検知スイッチ２８により蓋体９の閉塞状態を検出するように構成している。
【００３４】
図２に示すように、蓋体９の上面には、操作表示部１６が配設されている。操作表示部１６には、例えば、使用者が、標準的な洗いからすすぎ、脱水までを行う「標準コース」や、頑固な汚れの洗濯物を洗う「しっかりコース」などの運転コースを上方から選択する入力手段である操作部や、ＬＥＤなどを光らせて、上方から見えるように運転状態を示す表示手段である表示部２３が配置される。
【００３５】
例えば、従来例のように蓋体が円形の構成の場合には、図５に示すように、操作表示部は、使用者の操作性、視認性を配慮して、本体１の上部前方に配置するのが一般的である。
【００３６】
しかしながら、本実施の形態のように、蓋体９が略四角形状で、横幅寸法が本体１の横幅寸法にほぼ等しい形状の場合は、操作表示部１６は、蓋体９の前面上部、蓋体９の上辺、本体１の天面の前部のいずれかに配設することができる。
【００３７】
操作表示部１６を蓋体９の前面上部に配置する構成とすると、製品の正面に操作、表示にまつわる複数の造詣が出現することになる。この構成では、蓋体９の前面を完全にフラットな形状にすることが困難で、また、正面から見える嵌合部もできるだけ減らしてすっきりさせる構造にすることが難しくなる。
【００３８】
また、従来のように、本体１の天面前部に操作表示部１６を配置する構成にすると、操作表示部１６は、製品の前面からは蓋体９の厚み分だけ後退することになり、使用者が操作したり、表示を見る利便性が悪くなり、使用勝手が悪くなる。
【００３９】
本実施の形態では、操作表示部１６を蓋体９の上辺に配置している。この構成により、蓋体９の前面は、完全なフラットな形状で、正面から見える嵌合部も下部パネル４０との分割隙間４１だけにでき、すっきりした外観が実現できる。
【００４０】
近年、ドラム式洗濯機は、洗面台と並べて置かれることも増え、使用していない時でも他の器材と調和した設置空間を作り出すデザインが求められている。本実施の形態では、上記構成のすっきりした外観で、設置空間への調和が可能になる。また、使用者が操作表示部１６を操作する時は、操作表示部１６は、一番前面に近く、上から自然な視線で視認し、操作ができる位置に配置しているので、使い勝手も向上できる。
【００４１】
また、操作表示部１６を蓋体９に配置することにより、本体１から操作表示部をなくすることができ、操作表示部の配設高さ分、水槽２を上方に配置することが可能となる。水槽２を上方に配置することにより、回転ドラム３への洗濯物の出し入れ作業性を向上することができる。
【００４２】
ドラム式洗濯機の実使用環境において、電源入状態で蓋体９を開け、回転ドラム３内へ洗濯物を出し入れすることが想定される。例えば、運転開始した後に洗濯物を追加したい場合や、運転開始した後に色移りしやすい洗濯物に気づき、取り出したい場合等である。
【００４３】
そのような状況において、スタート／一時停止ボタン２５を操作して、蓋体９を開けた後、蓋体９の上部に手を掛けて、動作の支点として洗濯物の出し入れを行う場合が予想される。
【００４４】
しかしながら、蓋体９の上部に付いた手は、使用者がしゃがんだ動作中の無意識動作であり、手が蓋体９の上部に配置される操作表示部１６に触れ、誤操作する虞がある。
【００４５】
本実施の形態では、蓋体９のラッチ３５近傍に突起２７を形成し、蓋体９の閉塞状態で、突起２７が本体１の蓋ロック孔３６近傍に設けた検知部である検知スイッチ２８を操作し、検知スイッチ２８により蓋体９の閉塞状態を検出するように構成している。
【００４６】
そして、洗濯の各工程を制御する制御部（図示せず）は、検知スイッチ２８の出力に基づいて、蓋体９の開放状態では、操作表示部１６の操作を受付不可とし、運転動作を行わないように制御する。
【００４７】
これにより、洗濯物の投入または洗濯物の取り出し操作時に、意図しない支え手の動作による操作部の誤操作を防止することができる。
【００４８】
（実施の形態２）
本実施の形態２は、制御部の制御を除き、実施の形態１と同一である。
【００４９】
電源入／切ボタン２４とスタート／一時停止ボタン２５は、蓋体９のヒンジ部２１から最も離間した位置であり、ヒンジ部２１が設けられた側面側と相対向する側面側に配設している。
【００５０】
運転開始後に、スタート／一時停止ボタン２５を操作して蓋体９を開け、蓋体９の上部に手を掛けて動作の支点として洗濯物の出し入れを行う場合には、使用者の手は、蓋体９上面のヒンジ部２１側に置かれる。従って、意図しない支え手の動作によって電源入／切ボタン２４、またはスタート／一時停止ボタン２５が誤操作される可能性を低くすることができる。
【００５１】
また、電源入／切ボタン２４とスタート／一時停止ボタン２５は、その他詳細運転設定ボタン２６と区別しやすくするため、操作表示部１６の表面から窪ませて配設しているので、蓋体９の上部に手を掛けて動作の支点として洗濯物の出し入れを行う場合に、使用者の手が電源入／切ボタン２４、またはスタート／一時停止ボタン２５に触れても、電源入
／切ボタン２４、またはスタート／一時停止ボタン２５は、操作されにくく、電源入／切ボタン２４、またはスタート／一時停止ボタン２５が誤操作される可能性を低減できる。
【００５２】
以上のように、洗濯物の投入または洗濯物の取り出し時に、意図しない支え手の動作による電源入／切ボタン２４、またはスタート／一時停止ボタン２５が誤操作される可能性が低いため、制御部（図示せず）は、検知スイッチ２８の出力に基づいて、蓋体９の開放状態では、操作表示部１６の操作を受付不可としているが、電源入／切ボタン２４、またはスタート／一時停止ボタン２５が押された場合は、意思を持った操作であると判断し、受付不可の条件から除外している。
【００５３】
このことにより、洗濯物の投入または洗濯物の取り出し時に、意図しない支え手の動作による操作部の誤操作を防止することができる。
【００５４】
（実施の形態３）
本実施の形態３のドラム式洗濯機は、操作表示部１６の操作内容を報知する報知部（図示せず）を有する。操作部は、代表的なものとして、例えばブザーやスピーカー等が挙げられるが、他の報知手段を用いても良い。
【００５５】
制御部（図示せず）は、検知スイッチ２８の出力に基づいて、蓋体９の開放状態では、操作表示部１６の操作を受付不可としているが、使用者は受付不可状態であることが分からず、操作してしまうことが想定される。その場合、操作表示部の操作が受け付けられないため、使用者は、故障したと判断する虞がある。
【００５６】
本実施の形態３では、制御部は、操作表示部１６の操作が受付不可状態において、操作表示部１６が操作された場合には、報知部から受付不可であることを報知する。
【００５７】
本実施の形態では、一例として、報知部としてブザーを用い、制御部は、通常の操作に対するブザーの作動を一回とし、受付不可時の操作に対するブザーの作動を二回としている。
【００５８】
これにより、蓋体９開状態により操作部が受付不可であることを知らせることができ、操作性を向上することができる。
【００５９】
（実施の形態４）
本実施の形態４のドラム式洗濯機は、操作表示部１６に運転内容等を表示する表示部＊を有している。表示部＊は、代表的なものとして液晶ＬＣＤや７セグメントＬＥＤ等の表示装置が挙げられるが。他の表示装置を用いても良い。
【００６０】
制御部（図示せず）は、検知スイッチ２８の出力に基づいて、蓋体９の開放状態では、操作表示部１６の操作を受付不可としているが、使用者は受付不可状態であることが分からず、操作してしまうことが想定される。その場合、操作表示部の操作が受け付けられないため、使用者は、故障したと判断する虞がある。
【００６１】
本実施の形態４では、制御部は、操作表示部１６の操作が受付不可状態において、操作表示部１６が操作された場合には、表示部２３に受付不可であることを表示する。
【００６２】
本実施の形態では、一例として、表示部２３は、表示装置として、７セグメントＬＥＤを用いている。制御部は、操作表示部１６の操作が受付不可状態では、通常の運転表示と異ならせて７セグメントＬＥＤの全点滅を行い、受付不可であることを知らせる。
【００６３】
これにより、蓋体９開状態により操作部が受付不可であることを知らせることができ、操作性を向上することができる。
【産業上の利用可能性】
【００６４】
以上のように、本発明にかかる開閉する蓋体の上部に操作表示部を有するドラム式洗濯機において、洗濯物の投入または洗濯物の取り出し時に、意図しない支え手の動作による誤操作を防止することができるので、洗濯乾燥機等にも用いることができる。
【符号の説明】
【００６５】
１    本体
２    水槽
３    回転ドラム
４    洗濯物出入口
５    前部枠体
６    開口部
９    蓋体
１０  透孔
１１  モータ
１２  注水管路
１３  排水管路
１４  注水弁
１５  排水弁
１６  操作表示部
２１  ヒンジ部
２４  電源入／切ボタン
２５  スタート／一時停止ボタン
３３  窓ガラス
３４  窓パッキン
３５  ラッチ
３６  蓋ロック孔
【図１】
0006515345.tif 000002
【図２】
0006515345.tif 000003
【図３】
0006515345.tif 000004
【図４】
0006515345.tif 000005
【図５】
0006515345.tif 000006